(57)【要約】【課題】ケーブル装着部に対してコネクタ接続部が回転・ロック可能な回転コネクタを提供する。【解決手段】筒状であり、ケーブルが装着されるケーブル装着部と、所定の箇所で屈曲部を有する筒状であり、その一端側は上記ケーブル装着部の一端側に回転可能にかつ電気的に接続される一方、他端側は接続相手であるコネクタと電気的に接続されるコネクタ接続部と、上記ケーブル装着部に向けて引き付けかつ上記ケーブル装着部に押圧することで、上記ケーブル装着部に対して上記コネクタ接続部の回転をロックする回転ロック部と、を備え、上記ケーブル装着部は、コネクタボトム２とコネクタミドル３とを含み、また、上記コネクタ接続部は、コネクタヘッド５と相手取付用ナット６とを含み、上記回転ロック部は、ロックナット４とを含む。【選択図】図１
2010080317.tif 000002
【特許請求の範囲】
【請求項１】
筒状であり、ケーブルが装着されるケーブル装着部と、
所定の箇所で屈曲部を有する筒状であり、その一端側は上記ケーブル装着部の一端側に回転可能にかつ電気的に接続される一方、他端側は接続相手であるコネクタと電気的に接続されるコネクタ接続部と、
上記ケーブル装着部に対して上記コネクタ接続部の回転をロックする回転ロック部と、  を備えることを特徴とする回転コネクタ。
【請求項２】
筒状であり、ケーブルが装着されるケーブル装着部と、
所定の箇所で屈曲部を有する筒状であり、その一端側は上記ケーブル装着部の一端側に回転可能にかつ電気的に接続される一方、他端側は接続相手であるコネクタと電気的に接続されるコネクタ接続部と、
上記ケーブル装着部に向けて引き付けかつ上記ケーブル装着部に押圧することで、上記ケーブル装着部に対して上記コネクタ接続部の回転をロックする回転ロック部と、
を備えることを特徴とする回転コネクタ。
【請求項３】
上記ケーブル装着部は、
筒状であり、基端部にケーブルが挿入されるケーブル入口を有し、先端部の外周にネジを有するコネクタボトムと、
筒状であり、基端部の内周に上記コネクタボトムのネジと螺合するネジを有し、基端部と先端部との中間部の外周にネジを有し、先端部が中間部より外径が小さいことにより、先端部と中間部との間に段差部を有するコネクタミドルと、
を含み、
上記回転ロック部は、
筒状であり、基端部の内周に上記コネクタミドルの外周のネジと螺合するネジを有し、内周に突起を有するロックナット、
を含み、
上記コネクタ接続部は、
基端部と先端部との間に屈曲部を有する筒状であり、基端部に上記コネクタミドルの先端部が回転自在に嵌合されるコネクタミドル嵌合部を有し、基端部の外周に上記ロックナットの突起に係合する突起を有し、先端部に接続相手のコネクタに挿入される相手接続部を有するコネクタヘッド、
を含み、
上記コネクタヘッドの突起が上記ロックナットの突起と上記コネクタミドルの段差部との間に挟まれたとき、上記コネクタヘッドの基端部に対する上記コネクタミドルの先端部の回転がロックされること特徴とする請求項１又は２記載の回転コネクタ。
【請求項４】
上記コネクタヘッドの屈曲部は、上記コネクタヘッドの基端部に対して先端部が直角に向くよう屈曲していることを特徴とする請求項３記載の回転コネクタ。
【請求項５】
筒状であり、上記コネクタヘッドの先端部に回転自在に保持され、上記相手接続部の外径より内径が大きく、内周に接続相手のコネクタのネジと螺合するネジを有する相手取付用ナットを備えたことを特徴とする請求項３又は４記載の回転コネクタ。
【請求項６】
上記コネクタヘッドは、上記コネクタヘッドの先端部から基端部に至る中心導体を有することを特徴とする請求項３〜５いずれか記載の回転コネクタ。
【発明の詳細な説明】
【技術分野】
【０００１】
本発明は、ケーブル装着部に対してコネクタ接続部が回転・ロック可能な回転コネクタに関する。
【背景技術】
【０００２】
同軸ケーブルの先端に取り付けられるコネクタにはＬ形コネクタと呼ばれるものがある。Ｌ形コネクタは、例えば、携帯電話基地局用アンテナと基地局の通信機器とを接続する際に、両者を繋ぐ同軸ケーブルに取り付けられる。Ｌ形コネクタは、ストレートタイプのコネクタではケーブルの曲げを十分に確保できないようなスペースの限られる場合に用いられる。
【０００３】
図９に示されるように、従来のＬ形コネクタ９１は、同軸ケーブル９２が挿入されるコネクタボトム９３（ケーブル装着部）と、通信機器などの接続相手のコネクタに装着されるコネクタヘッド（本体）９４（コネクタ接続部）とを備える。
【０００４】
コネクタボトム９３は、真っ直ぐに伸びた円筒状であり、基端部（図の右側）に同軸ケーブル９２が挿入されるケーブル入口を有し、先端部（コネクタヘッド９４内に入っている）の外周にネジを有する。
【０００５】
コネクタヘッド９４は、基端部と先端部（図の左側）との間でＬ字状に屈曲された円筒状であり、基端部の内周にコネクタボトム９３のネジと螺合するネジを有し、先端部に接続相手のコネクタに挿入される相手接続部９５を有する。
【０００６】
以上のように、コネクタボトム９３とコネクタヘッド９４は、ネジを螺合することにより互いに固定される。
【０００７】
【特許文献１】特開２００２−７５５５１号公報
【特許文献２】特開２００３−４５５８５号公報
【特許文献３】特開２００５−６３７３８号公報
【発明の開示】
【発明が解決しようとする課題】
【０００８】
従来のＬ形コネクタ９１は、コネクタヘッド９４がコネクタボトム９３に固定される。アンテナを設置する現場では、同軸ケーブル９２は数本単位で施工され、Ｌ形コネクタ９１が取り付けられる。その際に各同軸ケーブル９２は、Ｌ形コネクタ９１の相手接続部９５が様々な方向を向く。
【０００９】
Ｌ形コネクタ９１を接続相手のコネクタに取り付けるには、接続相手のコネクタに相手接続部９５を向ける必要がある。従来は、図１０に示されるように、Ｌ形コネクタ９１を取り付けた同軸ケーブル９２の端部より数ｍ手前（図の右側）において同軸ケーブル９２を曲線矢印で示すように捻ることにより、Ｌ形コネクタ９１全体を同軸ケーブル９２の中心軸Ｃの周りに回して、相手接続部９５の方向を所望の方向にする。
【００１０】
この同軸ケーブル９２を接続相手に接続する際には、Ｌ形コネクタ９１の相手接続部９５を痛めないように注意しながら接続相手のコネクタに相手接続部９５を挿入している。
【００１１】
しかし、従来のＬ形コネクタ９１は、同軸ケーブル９２を捻ることになるため、同軸ケーブル９２に負荷が生じてしまう。
【００１２】
また、従来のＬ形コネクタ９１は、相手接続部９５の方向を所望の方向に合わせる作業が簡単でなく、余分な手間がかかる。
【００１３】
そこで、本発明の目的は、上記課題を解決し、ケーブル装着部に対してコネクタ接続部が回転・ロック可能な回転コネクタを提供することにある。
【課題を解決するための手段】
【００１４】
上記目的を達成するために本発明は、筒状であり、ケーブルが装着されるケーブル装着部と、所定の箇所で屈曲部を有する筒状であり、その一端側は上記ケーブル装着部の一端側に回転可能にかつ電気的に接続される一方、他端側は接続相手であるコネクタと電気的に接続されるコネクタ接続部と、上記ケーブル装着部に対して上記コネクタ接続部の回転をロックする回転ロック部と、を備えるものである。
【００１５】
また、本発明は、筒状であり、ケーブルが装着されるケーブル装着部と、所定の箇所で屈曲部を有する筒状であり、その一端側は上記ケーブル装着部の一端側に回転可能にかつ電気的に接続される一方、他端側は接続相手であるコネクタと電気的に接続されるコネクタ接続部と、上記ケーブル装着部に向けて引き付けかつ上記ケーブル装着部に押圧することで、上記ケーブル装着部に対して上記コネクタ接続部の回転をロックする回転ロック部と、を備えるものである。
【００１６】
上記ケーブル装着部は、筒状であり、基端部にケーブルが挿入されるケーブル入口を有し、先端部の外周にネジを有するコネクタボトムと、筒状であり、基端部の内周に上記コネクタボトムのネジと螺合するネジを有し、基端部と先端部との中間部の外周にネジを有し、先端部が中間部より外径が小さいことにより、先端部と中間部との間に段差部を有するコネクタミドルと、を含み、上記回転ロック部は、筒状であり、基端部の内周に上記コネクタミドルの外周のネジと螺合するネジを有し、内周に突起を有するロックナット、を含み、上記コネクタ接続部は、基端部と先端部との間に屈曲部を有する筒状であり、基端部に上記コネクタミドルの先端部が回転自在に嵌合されるコネクタミドル嵌合部を有し、基端部の外周に上記ロックナットの突起に係合する突起を有し、先端部に接続相手のコネクタに挿入される相手接続部を有するコネクタヘッド、を含み、上記コネクタヘッドの突起が上記ロックナットの突起と上記コネクタミドルの段差部との間に挟まれたとき、上記コネクタヘッドの基端部に対する上記コネクタミドルの先端部の回転がロックされてもよい。
【００１７】
上記コネクタヘッドの屈曲部は、上記コネクタヘッドの基端部に対して先端部が直角に向くよう屈曲していてもよい。
【００１８】
筒状であり、上記コネクタヘッドの先端部に回転自在に保持され、上記相手接続部の外径より内径が大きく、内周に接続相手のコネクタのネジと螺合するネジを有する相手取付用ナットを備えてもよい。
【００１９】
上記コネクタヘッドは、上記コネクタヘッドの先端部から基端部に至る中心導体を有してもよい。
【発明の効果】
【００２０】
本発明は次の如き優れた効果を発揮する。
【００２１】
（１）コネクタヘッドが回転可能となる。
【００２２】
（２）コネクタヘッドがロック可能となる。
【発明を実施するための最良の形態】
【００２３】
以下、本発明の一実施形態を添付図面に基づいて詳述する。
【００２４】
図１に示されるように、本発明に係る回転コネクタ１は、筒状であり、ケーブルが装着されるケーブル装着部と、所定の箇所で屈曲部を有する筒状であり、その一端側は上記ケーブル装着部の一端側に回転可能にかつ電気的に接続される一方、他端側は接続相手であるコネクタと電気的に接続されるコネクタ接続部と、上記ケーブル装着部に向けて引き付けかつ上記ケーブル装着部に押圧することで、上記ケーブル装着部に対して上記コネクタ接続部の回転をロックする回転ロック部と、を備え、上記ケーブル装着部は、コネクタボトム２とコネクタミドル３とを含み、また、上記コネクタ接続部は、コネクタヘッド５と相手取付用ナット６とを含み、上記回転ロック部は、ロックナット４とを含む。
【００２５】
なお、これらコネクタボトム２、コネクタミドル３、ロックナット４、コネクタヘッド５、相手取付用ナット６は、いずれもステンレス等の金属からなる。
【００２６】
コネクタボトム２は、真っ直ぐに伸びた円筒状である。コネクタボトム２は、基端部（図示右側を基端部、左側を先端部とする。ただし、屈曲している場合は下側が先端部となるよう図示する。）２ａに同軸ケーブル７が挿入されるケーブル入口８を有する。ケーブル入口８は、同軸ケーブル７の外装被覆９の外径より内径が大きい。コネクタボトム２のケーブル入口８から先端部方向に入った中間部に、同軸ケーブル７の外部導体１０が挿入される外部導体挿入口１１を有する。外部導体挿入口１１は、外部導体１０の外径と内径がほぼ同じである。ケーブル入口８には、ケーブル入口８の内周と同軸ケーブル７の外装被覆９との隙間に弾性を有するＯリング１２が詰め込まれる。コネクタボトム２は、先端部２ｃの外周にネジ１３を有する。
【００２７】
コネクタミドル３は、真っ直ぐに伸びた円筒状である。コネクタミドル３は、基端部３ａの外径が最も大きく、中間部３ｂの外径は基端部３ａの外径より小さく、先端部３ｃの外径が最も小さい。コネクタミドル３は、基端部３ａの内周にコネクタボトム２の先端部２ｃの外周のネジ１３と螺合するネジ１４を有する。この螺合により、コネクタミドル３とコネクタボトム２とを相互に固定することができる。コネクタミドル３は、中間部３ｂの外周にネジ１５を有する。コネクタミドル３は、内部に同軸ケーブル７の外部導体１０が当接されるストッパ１６を有する。ストッパ１６は、先端部３ｃの内周からさらに径を狭めるように突き出しており、基端方向から見ると、同軸ケーブル７の外部導体１０より径が小さく内部導体１７より径が大きい円孔１８を有する。円孔１８は、同軸ケーブル７の絶縁スペーサ１９より径が大きくてもよい。
【００２８】
コネクタミドル３は、先端部３ｃが中間部３ｂより外径が小さいことにより、先端部３ｃと中間部３ｂとの間に段差部３ｄを有する。
【００２９】
ロックナット４は、真っ直ぐに伸びた円筒状である。ロックナット４は、基端部４ａの内周にコネクタミドル３の中間部３ｂの外周のネジ１５と螺合するネジ２０を有する。ロックナット４は、内周に突起２１を有する。
【００３０】
コネクタヘッド５は、基端部５ａと先端部５ｃとの間に屈曲部５ｂを有する円筒状である。本実施形態の屈曲部５ｂは、基端部５ａに対して先端部５ｃが直角に向くよう屈曲している。すなわち、基端部５ａの中心軸Ｃと先端部５ｃの中心軸Ｒが垂直に交わる。このため、先端部５ｃの向きとは異なる方向からコネクタヘッド５を見ると、コネクタヘッド５はＬ字状を呈する。
【００３１】
コネクタヘッド５は、基端部５ａにコネクタミドル３の先端部３ｃが中心軸Ｃの周りに回転自在に嵌合されるコネクタミドル嵌合部５ｄを有する。これにより、コネクタミドル３とコネクタヘッド５は、相対的に中心軸Ｃの周りに回転させることができる。コネクタヘッド５は、基端部５ａの外周にロックナット４の突起２１に係合する突起２２を有する。突起２２は、基端部５ａの最基端にある。突起２２と段差部３ｄとの間には、コネクタミドル３の先端部３ｃに嵌めたＯリング２３が挟まれている。コネクタヘッド５は、基端部５ａの外周にロックナット４の突起２１に係合するもうひとつの突起２４を有する。突起２４は、突起２２より屈曲部５ｂに近い位置にあり、突起２２と突起２４との間にロックナット４の突起２１が位置する。
【００３２】
コネクタヘッド５は、先端部５ｃに接続相手のコネクタに挿入される相手接続部２５を有する。相手接続部２５は真っ直ぐな円筒状であり、内部に絶縁キャップ２６が嵌め込まれている。コネクタヘッド５は、先端部５ｃから基端部５ａに至る中心導体２７を有する。詳しくは、先端部５ｃの中心軸Ｒに先端部中心導体２７ｃがあり、先端部中心導体２７ｃは屈曲部５ｂ内の中心軸Ｃに交わる位置から絶縁キャップ２６を貫通して相手接続部２５の最先端まで伸び、先端部中心導体２７ｃの最先端は針状を呈している。一方、基端部５ａの中心軸Ｃに基端部中心導体２７ａがあり、基端部中心導体２７ａは中心軸Ｒに交わる位置から基端部５ａの最基端まで伸びている。基端部中心導体２７ａの最基端は、コネクタミドル３のストッパ１６の近傍にあり、基端方向から見ると、円孔１８の中心に位置している。基端部中心導体２７ａは、基端側において中空円筒状であり、周方向複数箇所配置され最基端から先端方向へ伸びたスリット２９を有する。スリット２９は、基端部中心導体２７ａの最基端を板バネとし、基端部中心導体２７ａ内に同軸ケーブル７の内部導体１７を円滑に挿入し、かつ、良好な電気的接触を確保できるよう設けたものである。基端部中心導体２７ａは先端側で充実な円柱状となっている。基端部中心導体２７ａと先端部中心導体２７ｃは、銅を主成分とする良導体の金属に金めっきを施してなる。
【００３３】
相手取付用ナット６は、真っ直ぐに伸びた円筒状である。相手取付用ナット６は、コネクタヘッド５の先端部５ｃに中心軸Ｒの周りに回転自在に保持されている。相手取付用ナット６は、相手接続部２５の外径より内径が大きい。相手取付用ナット６は、内周に接続相手のコネクタのネジと螺合するネジ２８を有する。
【００３４】
図２に示されるように、コネクタボトム２の基端部２ａは、円筒状外周面の一部に平面部４０を有する。平面部４０は図の裏面（中心軸Ｃの周りに１８０°反対側）にもある。これら外周面上で対向する２つの平面部４０は、コネクタボトム２を工具又は手で把持するときの滑り止めとなる。また、平面部４０は、コネクタボトム２が他の部材に対して中心軸Ｃの周りに回っているかどうか及びその角度を確認する指標となる。
【００３５】
コネクタミドル３の基端部３ａは、円筒状外周面の一部に平面部４１を有する。平面部４１は図の裏面（中心軸Ｃの周りに１８０°反対側）にもある。これら外周面上で対向する２つの平面部４１は、コネクタミドル３を工具又は手で把持するときの滑り止めとなる。また、平面部４１は、コネクタミドル３が他の部材に対して中心軸Ｃの周りに回っているかどうか及びその角度を確認する指標となる。
【００３６】
ロックナット４は、円筒状外周面に等円周角ピッチで配置された６つの平面部４２を有する。これら平面部４２は、ロックナット４を工具又は手で把持し螺合させるときの滑り止めとなる。
【００３７】
コネクタヘッド５の屈曲部５ｂは、先端部５ｃの中心軸Ｒに対して直交する平面部４３と、基端部５ａの中心軸Ｃに対して直交する平面部４４と、これら平面部４３と平面部４４の両方に直交する２つ（図の表裏）の平面部４５とを有することにより、立方体状の外観を呈している。平面部４３，４５は、コネクタヘッド５が他の部材に対して中心軸Ｃの周りに回っているかどうか及びその角度を確認する指標となる。
【００３８】
相手取付用ナット６は、円筒状外周面に等円周角ピッチで配置された６つの平面部４６を有する。これら平面部４６は、本発明の回転コネクタ１を接続相手のコネクタに取り付ける際に、相手取付用ナット６を工具又は手で把持し螺合させるときの滑り止めとなる。
【００３９】
以上の構成において、コネクタヘッド５には、ロックナット４の突起２１と係合する２つの突起２２，２４が具備されている。ロックナット４の基端部４ａの内周のネジ２０がコネクタミドル３の中間部３ｂの外周のネジ１５と螺合して回転されていくと、ロックナット４はコネクタヘッド５及びコネクタミドル３に対して相対的に、中心軸Ｃに沿って基端方向・先端方向に移動することができる。
【００４０】
ロックナット４が先端方向（図の左方向）に移動するとき、突起２１が突起２４に当たると、ロックナット４がそれ以上先端方向に移動することが規制される。このようにして、ロックナット４はコネクタミドル３とコネクタヘッド５とが互いに外れないようにする働きをする。
【００４１】
ロックナット４のネジ２０が基端方向（図の右方向）に移動するとき、突起２２が突起２１と段差部３ｄとの間に挟まれると、ネジ１５とネジ２０が噛み付き、コネクタヘッド５の基端部５ａに対するコネクタミドル３の先端部３ｃの回転がロックされる。本実施形態では、突起２２と段差部３ｄの間にＯリング２３があるので、Ｏリング２３が弾性変形することにより、コネクタヘッド５とコネクタミドル３の回転のロックがより頑丈になる。
【００４２】
以下、本発明の回転コネクタ１を同軸ケーブル７に取り付けて組み立てる手順を説明する。
【００４３】
図３に示されるように、同軸ケーブル７の端末から所定の長さ（外部導体挿入口１１からストッパ１６までの距離＋外装被覆９から内部導体１７が突き出す距離）まで外装被覆９を剥離し、外部導体１０を露出させる。その外部導体１０を端末から所定の長さ（円孔１８に挿入した内部導体１７が基端部中心導体２７ａに届く程度）まで除去し、絶縁スペーサ１９を露出させる。絶縁スペーサ１９の端面には内部導体１７が露出する。絶縁スペーサ１９を剥離して絶縁スペーサ１９から内部導体１７が突き出るようにしてもよい。
【００４４】
図４に示されるように、上述の端末処理した同軸ケーブル７をコネクタボトム２の基端部２ａのケーブル入口８に挿入する。同軸ケーブル７の外装被覆９が外部導体挿入口１１の周囲に当たって止まったとき、外部導体挿入口１１から入った外部導体１０は、コネクタボトム２の先端部２ｃから所定の長さ突き出ることになる。内部導体１７と絶縁スペーサ１９は外部導体１０からさらに突き出る（図５参照）。
【００４５】
このとき、ケーブル入口８の内周と同軸ケーブル７の外装被覆９との隙間にＯリング１２を詰め込むことにより、Ｏリング１２が弾性変形し、同軸ケーブル７とコネクタボトム２とが相互に固定される。
【００４６】
図５に示されるように、ロックナット４を中心軸Ｃの周りに回転させて基端方向に移動させ、コネクタヘッド５とコネクタミドル３の回転をロックさせておく。説明を簡単にするため、このとき、図２のように、コネクタヘッド５の屈曲部５ｂの平面部４５とコネクタミドル３の基端部３ａの平面部４１とが同じ向きを向いているとする。
【００４７】
コネクタボトム２の先端部２ｃをコネクタミドル３の基端部３ａに挿入し、コネクタボトム２の先端部２ｃのネジ１３とコネクタミドル３の基端部３ａのネジ１４とを螺合させる。ネジ１３とネジ１４の螺合のためには、コネクタヘッド５、相手取付用ナット６及びコネクタミドル３の組とコネクタボトム２及び同軸ケーブル７の組を相対的に中心軸Ｃの周りに回転させなければならないが、同軸ケーブル７に捻りが加わるのは好ましくないので、コネクタボトム２の基端部２ａの平面部４０を把持してコネクタボトム２が回転しないようにし、コネクタヘッド５がある方の組を回転させる。このとき、コネクタヘッド５とコネクタミドル３の回転がロックされているので、コネクタヘッド５（特に屈曲部５ｂ、相手取付用ナット６）を把持して回転させれば、コネクタヘッド５がある方の組を容易に回転させることができる。
【００４８】
なお、コネクタヘッド５とコネクタミドル３の回転をロックしない状態で、コネクタボトム２のネジ１３とコネクタミドル３のネジ１４を螺合させる場合でも、コネクタヘッド５を把持して回転させれば、ある程度の締め付け強さまでは、螺合させることができるが、それ以上はコネクタヘッド５が空回りして締め付けられない。その場合、締め付けをさらに強くするには、平面部４１を把持してコネクタミドル３を回転させる。
【００４９】
ここまでの手順により、回転コネクタ１は、図１及び図２に示したように、同軸ケーブル７からコネクタヘッド５までが一体的に固定された状態になる。説明を簡単にするため、このとき、図２のように、コネクタヘッド５の屈曲部５ｂの平面部４５とコネクタミドル３の基端部３ａの平面部４１とコネクタボトム２の平面部４０が全て同じ向きを向いているとする。
【００５０】
図６及び図７に示されるように、ロックナット４を回転させて先端方向に移動させコネクタヘッド５とコネクタミドル３のロックを解除し、コネクタヘッド５とコネクタミドル３が相対的に回転できるようにする。このようにロックナット４を緩めた状態では、コネクタヘッド５を中心軸Ｃの周りに回転させて先端部５ｃの向きを任意の方向に向かせることができる。よって、先端部５ｃの向きを必要な方向へ調整することができる。ここでは、説明を簡単にするため、必要な回転角を９０°とする。図７に示されるように、平面部４１及び平面部４０と相手接続部２５の正面が揃うとき、必要な回転角９０°が達成される。そこで、ロックナット４を回転させて基端方向に移動させ、コネクタヘッド５とコネクタミドル３の回転をロックさせる。このようにロックナット４を締めると、図８に示されるように、平面部４１及び平面部４０と相手接続部２５の正面が揃っている状態で、同軸ケーブル７からコネクタヘッド５までが一体的に固定される。これは、図１及び図２の状態から、コネクタヘッド５が中心軸Ｃの周りに必要な回転角９０°回転された状態である。以上で組み立てが完了する。
【００５１】
コネクタヘッド５が中心軸Ｃの周りに必要な回転角９０°回転されているので、相手接続部２５は接続相手のコネクタに対向している。そこで、接続相手のコネクタに相手接続部２５を嵌合させ、相手取付用ナット６のネジ２８を接続相手のコネクタのネジに螺合させていく。
【００５２】
以上説明したように、本発明の回転コネクタ１にあっては、ロックナット４が緩んでいるときはコネクタヘッド５とコネクタミドル３が相対的に回転でき、ロックナット４が締まっているときはコネクタヘッド５とコネクタミドル３が互いに固定される。このようにコネクタヘッド５が回転・ロック可能であるため、アンテナ設置現場などにおける同軸ケーブル７の布設時に、同軸ケーブル７を捻ることなくコネクタヘッド５の相手接続部２５の向きを任意に調整することができる。よって、同軸ケーブル７にかかる負荷を無くすることができる。また、同軸ケーブル７とコネクタボトム２との間にかかる捻りの負荷がなくなることに加え、コネクタヘッド５が回転しないよう固定されることにより、同軸ケーブル７の内部導体１７とコネクタヘッド５の基端部中心導体２７ａとの接触不良の発生を抑えることができる。その結果、現場での布設作業における作業が容易になると共に、電気的接続の信頼性が確実になる。
【００５３】
なお、上記実施形態では、コネクタボトム２とコネクタミドル３を別体に形成したが、コネクタボトム２とコネクタミドル３を一体に形成してもよい。
【図面の簡単な説明】
【００５４】
【図１】本発明の一実施形態を示す回転コネクタの断面図である。
【図２】本発明の一実施形態を示す回転コネクタの側面外観図である。
【図３】端末処理した同軸ケーブルの断面図である。
【図４】端末処理した同軸ケーブルと本発明のコネクタボトムの組立時の断面図である。
【図５】本発明におけるコネクタボトムの組とコネクタヘッドの組の組立時の断面図である。
【図６】本発明におけるロックナットを緩めた時の回転コネクタの断面図である。
【図７】本発明におけるロックナットを緩めて向きを調整する時の回転コネクタの側面外観図である。
【図８】本発明における向きを調整した後にロックナットを締めた時の回転コネクタの側面外観図である。
【図９】従来のＬ形コネクタの側面外観図である。
【図１０】従来のＬ形コネクタの向きを変えた側面外観図である。
【符号の説明】
【００５５】
１  回転コネクタ
２  コネクタボトム
３  コネクタミドル
４  ロックナット
５  コネクタヘッド
６  相手取付用ナット
７  同軸ケーブル
８  ケーブル入口
９  外装被覆
１０  外部導体
１１  外部導体挿入口
１２  Ｏリング
１３  ネジ
１４  ネジ
１５  ネジ
１６  ストッパ
１７  内部導体
１８  円孔
１９  絶縁スペーサ
２０  ネジ
２１  突起
２２  突起
２３  Ｏリング
２４  突起
２５  相手接続部
２６  絶縁キャップ
２７  中心導体
２８  ネジ
２９  スリット
【図１】
2010080317.tif 000003
【図２】
2010080317.tif 000004
【図３】
2010080317.tif 000005
【図４】
2010080317.tif 000006
【図５】
2010080317.tif 000007
【図６】
2010080317.tif 000008
【図７】
2010080317.tif 000009
【図８】
2010080317.tif 000010
【図９】
2010080317.tif 000011
【図１０】
2010080317.tif 000012